(57)【要約】【課題】待機トレイで設定された長さよりも長いシートを待機させる場合であっても、待機保持を安定しておこなうことができるシート後処理装置及び待機トレイを提供する。【解決手段】待機トレイ10が、搬送されたシートの先端方向への突出及び後端方向への没入可能に設置された出没トレイ80を備え、待機トレイに搬送されるシートのサイズが待機トレイで設定されたサイズを越える場合に、出没トレイ駆動ローラを駆動して前記出没トレイをシートの搬送先端方向に突出させるシート処理装置。【選択図】      図２０
2006096446.tif 000002
【特許請求の範囲】
【請求項１】
搬送されたシートを一時的に待機保持した後この保持を解除して該シートを落下可能な待機トレイと、待機トレイから落下されたシートを保持して処理可能な処理トレイと、処理トレイで処理されたシートを積載可能な排紙トレイとを具備したシート後処理装置であって、
前記待機トレイは、
待機保持されるシートの搬送方向の左右下面を支える左右の下面支持部材と、
これら左右の下面支持部材に収容され、搬送されたシートの先端方向へ突出可能に設けられた出没トレイと、
出没トレイをシートの搬送先端方向へ突出させる駆動手段と、
駆動手段を制御する制御手段とを具備し、この制御手段は、待機トレイに搬送されるシートのサイズに関する情報に基づいて、待機トレイに搬送されるシートのサイズが待機トレイで設定されたサイズを越えることを検知すると、前記駆動手段を制御して前記出没トレイをシートの搬送先端方向に突出させる、シート処理装置。
【請求項２】
待機トレイ上に積載されるシートの高さを検知する検知手段を更に備え、
制御手段は、検知手段で検知されたシートの高さに基づいて、前記駆動手段を制御して出没トレイの突出長さを調節する請求項１記載のシート後処理装置。
【請求項３】
搬送されたシートを一時的に待機保持した後この保持を解除して該シートを処理トレイに落下可能な、シート後処理装置に用いられる待機トレイであって、
待機保持されるシートの搬送方向の左右下面を支える左右の下面支持部材と、
これら左右の下面支持部材に収容され、搬送されたシートの先端方向へ突出可能に設けられた出没トレイとを備えた、
待機トレイ。
【請求項４】
搬送されるシート先端側が高く、シート後端側が低い傾斜状に配置されている請求項３記載の待機トレイ。
【発明の詳細な説明】
【技術分野】
【０００１】
本発明は、画像形成装置から送られたシートを後処理する装置（フィニッシャ）及びこの後処理装置に用いられる待機トレイに関する。
【背景技術】
【０００２】
後処理装置では、例えば、画像形成装置から送られたシートを束ねて処理トレイにてステープル処理した後、排紙トレイに搬送している。この場合、画像形成装置の画像処理速度に比べて後処理装置のステープル処理速度が遅いことから、シートを直接処理トレイに送ると、先のシートをステープル処理している間に、次のステープル処理するシートが搬送されてしまう。これを防ぐために、処理トレイの前段にシートの搬入タイミングを調節するバッファ機構を設ける必要となる。このことから従来から種々のバッファ機構が提案されている。例えば、特許文献１は、画像形成装置から送られたシートを処理トレイに送る搬送路にシートを滞留する機構を設けている。しかし、この場合、搬送路を長くする必要があり、その結果後処理装置が大型化しやすい。
【特許文献１】特許２５８３５９４号公報、第７図及びその説明部分など
【特許文献２】特開２０００−７２３２１、要約など
【発明の開示】
【発明が解決しようとする課題】
【０００３】
このような事情に鑑み、本発明者等は、処理トレイの上段にバッファ機構として待機トレイを設けることをここに提案する。この待機トレイは処理トレイに搬送されるシートを一旦待機保持し、待機保持を解除する時に待機トレイのシート支持面を開いてシートをその後端部側（シートが待機トレイに搬送される時の上流側）から処理トレイに落下させるものである。この処理トレイを用いれば、簡単な機構で、搬送路を長く取る必要がなく、スペースを取ることなく配置でき、その結果、後処理装置をコンパクト化できる。しかも、シートを誤動作なく処理トレイに送ることができる。
【０００４】
ここで、後処理装置をコンパクトするためには、待機トレイの大きさ（長さ）は、通常頻繁に使用されるシート（例えばＡ４サイズのシート）に対応する大きさとする必要がある。しかしこの場合、Ａ３サイズ等の長いシートを待機させるには不安定である。
【０００５】
本発明は、待機トレイで設定された長さよりも長いシートを待機させる場合であっても、待機保持を安定しておこなうことができるシート後処理装置及び待機トレイを提供する。
【課題を解決するための手段】
【０００６】
上記課題を解決するために本発明は以下の構成を備えている。
【０００７】
（１）搬送されたシートを一時的に待機保持した後この保持を解除して該シートを落下可能な待機トレイと、待機トレイから落下されたシートを保持して処理可能な処理トレイと、処理トレイで処理されたシートを積載可能な排紙トレイとを具備したシート後処理装置であって、
前記待機トレイは、
待機保持されるシートの搬送方向の左右下面を支える左右の下面支持部材と、
これら左右の下面支持部材に収容され、搬送されたシートの先端方向へ突出可能に設けられた出没トレイと、
出没トレイをシートの搬送先端方向へ突出させる駆動手段と、
駆動手段を制御する制御手段とを具備し、この制御手段は、待機トレイに搬送されるシートのサイズに関する情報に基づいて、待機トレイに搬送されるシートのサイズが待機トレイで設定されたサイズを越えることを検知すると、前記駆動手段を制御して前記出没トレイをシートの搬送先端方向に突出させる、シート処理装置。
【０００８】
（２）待機トレイ上に積載されるシートの高さを検知する検知手段を更に備え、
制御手段は、検知手段で検知されたシートの高さに基づいて、前記駆動手段を制御して出没トレイの突出長さを調節する（１）記載のシート後処理装置。
【０００９】
（３）搬送されたシートを一時的に待機保持した後この保持を解除して該シートを処理トレイに落下可能な、シート後処理装置に用いられる待機トレイであって、
待機保持されるシートの搬送方向の左右下面を支える左右の下面支持部材と、
これら左右の下面支持部材に収容され、搬送されたシートの先端方向へ突出可能に設けられた出没トレイとを備えた、待機トレイ。
【００１０】
（４）搬送されるシート先端側が高く、シート後端側が低い傾斜状に配置されている（３）記載の待機トレイ。
【００１１】
本明細書及び特許請求の範囲で、先端側、後端側、シート幅とは、それぞれ、待機トレイに搬送されるシートの搬送方向を基準としたもので、搬送方向の下流側を先端側、搬送方向の上流側を後端側、シート搬送方向を縦方向とした時に横方向の長さをシート幅と称する。また、シートとは、トナー画像（現像画像）が複写され、画像形成装置から送られたコピー用紙のことをいう。
【発明の効果】
【００１２】
本発明は、待機トレイは通常頻繁に使用されるサイズ（例えばＡ４サイズ）のシートに対応する大きさ（長さ）となっているが、設定されたサイズよりも大きな（長い）サイズ（例えばＡ３サイズ）のシートが待機トレイに搬送されることを検知すると、待機トレイに収納されていた出没トレイが先端側に突出する。そのことにより、大きなサイズのシートに対しても安定して保持することができる。また、待機トレイに積載されたシートの高さ（又は枚数）に応じて出没トレイの延長量を調節し、そのことによってシートを安定して待機保持することができる。さらに、排紙トレイが移動していない時に出没トレイを突出できる。
【００１３】
なお、特許文献２は、ステープルユニットの用紙整合トレイに延長トレイを出し入れ自在に設け、画像形成装置から記録済用紙が排出されると、用紙整合トレイから延長トレイを繰り出し、それらトレイの上に排出用紙をスタックする機構が開示されている。しかし、特許文献２は、ステープルユニットの用紙整合トレイに関する技術であり、待機トレイに関する本発明とは技術的な相違があり、本発明の効果を奏し得ない。
【発明を実施するための最良の形態】
【００１４】
以下、本発明の一実施例を説明する。
【００１５】
（画像形成装置概略）
図１８に基づいて、本発明に係る後処理装置の前段に配置する画像形成装置（デジタル複写機）の概略を簡単に説明する。この装置は、上面に原稿の載置台112が設けられ、その上に原稿Ｄを自動的に原稿載置台112上に送る自動原稿送り装置117（以下、ＡＤＦと称する）が配置されている。ＡＤＦに原稿Ｄを載せ、所定の設定（例えばステープル処理の有無、ステープル処理の仕方、複写枚数、複写されるシートのサイズ等）をした後、複写開始スイッチを押す。ＡＤＦ上の原稿Ｄは原稿載置台112の所定の位置に搬送される。
【００１６】
画像形成装置の内部にはスキャナ部4、プリンタ部６、及びコピー用紙のカセット、フィーダーが配設されている。スキャナ部4では、原稿載置台112上の原稿Ｄをスキャンニングし、その反射光を入射し、入射した反射光を光電変換して原稿Ｄの画像情報を読み取り、読み取った画像情報に対応する光電信号を出力する。プリンタ部６ではスキャナ部4で読み取った原稿Ｄの画像情報等に応じて半導体レーザ141により感光体ドラム144周面上に静電潜像を形成する。そして感光体ドラム144に現像器146からトナーを供給して感光体ドラム144に形成された静電潜像を顕像化しトナー像を形成する。
【００１７】
この感光体ドラム144には、コピー用紙Pがコピー用紙Pのカセット52,53,54,56、フィーダー55から送られ、感光体ドラム144上のトナー像が転写チャージャ148によりコピー用紙に複写される。その後コピー用紙のトナー画像が定着器160によって定着され、排出口161から排出される。これが、本発明のシートに該当する。
【００１８】
（後処理装置概略）
同図１８に基づいて後処理装置の概略を簡単に説明する。後処理装置は、画像形成装置から搬送されるシート20をステイプル処理する装置で、画像形成装置の排出口161に接して配置されている。すなわち画像形成装置の排出口161に対応してシート搬送入口を設け、このシート搬送入口に入口ローラ22を配置している。入口ローラ22の搬送入口にはシートセンサ70が設けられ、このセンサは搬送されるシートの先端、後端を検知するものである。前記入口ローラ22は、シート20を後処理装置内の搬送路を形成するペーパーパス天井36に導入する。このペーパーパス天井36は、シートを待機トレイ10及び処理トレイ12に案内するものである。処理トレイ12の上流側（又は待機トレイ10の上流側）には二つの排紙トレイ16，18が配置されている。待機トレイ10は、トレイに搬送されるシートの先端側が上向きで、後端側が下向きになるように傾斜して、処理トレイ12の上段に配置されている。この待機トレイ10には、後端側（搬送されるシートの上流側）に給紙ローラ24が設けられ、先端側（搬送されるシートの下流側）に待機トレイローラ28が設けられている。処理トレイ12は、シートの先端側（排紙トレイに搬送するシートの下流側）が上向きで、後端側（排紙トレイに搬送するシートの上流側）が下向きになるように傾斜して処理トレイ12の下段に配置されている。処理トレイ12の後端側にはステイプラ14が設けられている。
【００１９】
ここで、本発明に係る後処理装置は、装置をコンパクトにするために、搬送されるシートのサイズに比べて、待機トレイ10及び処理トレイ12が何れも小さいサイズとなっている。待機トレイ１２がここに積載されるシートよりもサイズが小さいため、待機トレイ10から処理トレイ12にシートが落下した際に、そのシートは処理トレイ12と排紙トレイ16（又は18）にまたがって積載される（図１０乃至図１３参照）。
【００２０】
＜待機トレイ＞
次に、図１，２，３に基づいて待機トレイを説明する。すでに述べたように、処理トレイで先のシートを処理している時には、次のシートを処理トレイに搬送することはできない。待機トレイは、この状態で次のシートを待機させるものである。前記入口ローラ22は、上入口ローラ２２ａと下入口ローラ２２ｂからなり、これらローラは入口ローラモータ26で駆動される。給紙ローラ24も上給紙ローラ２４ａと下給紙ローラ２４ｂとからなり、これらローラは給紙ローラモータで駆動される。待機トレイローラ28は上下に昇降動可能で、その制御は待機トレイローラ駆動源30によりおこなわれる。待機トレイローラ28は、正逆回転が可能で、その正逆回転は待機トレイローラモータ32でおこなわれる。
【００２１】
待機トレイ10は、左右幅方向に、待機トレイ内に搬入されたシートの下面の両側を支える左右の下面支持部材10a，10bが設けられている。左右の下面支持部材間は開口しており、従って、シート下面の中央部は支持されない。これら左右の下面支持部材10a，10bの上面は、それぞれ平面状となっているが、その先端側に上方に湾曲した曲面を形成している。なお、曲面に代えてまたは曲面とともに任意方向に回転可能なコロを嵌め込むようにしてもよい。左右の下面支持部材10a，10bは、先端側の幅と後端側の幅が同じに形成されている。ここで、幅とは、シート搬送方向を縦方向とした場合の横方向をいう。左右の下面支持部材10a，10bは、第1ポジションにおいて、左右の下面支持部材全面でシート側面を支持できる位置にあり、第２ポジジョンにおいて、シートの支持を解除している位置にある。左右の下面支持部材10a，10bは支持部材開閉モータ（図１９参照）により駆動され、この支持部材開閉モータにより、左右の下面支持部材をスライド動作させて開口部の開口幅を調節し、左右の下面支持部材10a，10bを第１又は第２ポジジョンに移動させる。
【００２２】
前記待機トレイローラ28は、待機トレイに搬送されたシートを後端側に戻し、シートの後端側を待機トレイの後端60に突き当ててシート後端を整合させるものである。この場合、シートが待機トレイに搬送される時は上方に位置するが、整合させる場合に下降してシートを押した状態で回転して、シートを押し戻す。また、シートを待機トレイから直接排紙トレイに搬送する場合も、このシート整合ローラを下降させてシートを押した状態で回転して、シートを排出する。この場合、待機トレイローラ28の回転方向はシートを後端側に突き当てる場合とは逆回転となる。
【００２３】
＜大きなサイズのシートに対応する機構：出没トレイ＞
次に、図２０，図２１を参照して、待機トレイの出没トレイ80を説明する。出没トレイ80は左右の下面支持部材10a,10bと同様の形状、シート支持幅を有し、待機トレイ設定された大きさのシート（例えばＡ４シート）又はそれ未満の大きさのシートが搬送され時は、出没トレイ80は、左右の下面支持部材10a,10bの内側又は外側に収容されている。そして、出没トレイ80は、左右の下面支持部材10a,10bと一体的に開閉駆動される。従って、出没トレイ80は、左右の下面支持部材10a,10bに収容されている時は、出没トレイ80独自の機能を発揮するものではない。出没トレイを出没させる機構は、当業者が任意に選択できるものである。例えば、下面支持部材10a,10bの出没トレイ80との接触面にガイドを形成して、そこにリングを配置し、これに対応する出没トレイ80の下面支持部材10a,10bとの接触面にガイドを形成して、出没トレイが下面支持部材10a,10bに沿ってスライド移動できるようにすることができる。
【００２４】
待機トレイでは、待機トレイで設定された大きさのシートを超える大きさのシート（例えばＡ３シート）が搬送され時は、出没トレイ80を、待機トレイに搬送されるシートの搬送方向先端に向けて延出する。出没トレイ80の延出は、例えば、出没トレイ80と左右の下面支持部材10a,10bとの間に設けられた出没トレイ駆動モータ（図１９など参照）によりおこなわれる。待機トレイ設定された大きさのシートを超える大きさのシートの処理が終了すると、出没トレイ80は、出没トレイ駆動モータにより収容状態に戻る。
【００２５】
待機トレイには、給紙ローラ２４の近傍、すなわち、シートが待機トレイに搬入される側（上流側）にシートを検知するシートセンサ70（図１8など参照）が設けられている。このシートセンサ70は、シートの給紙ローラ24による搬送開始（シート先端）、給紙ローラ24による搬送終了（シート後端）を検知し、この検知信号を制御手段（図１９参照）に送るものである。
【００２６】
＜制御系＞
図１９に制御系を示す。後処理装置側のＣＰＵ（制御手段）は、画像処理装置側のＣＰＵ（制御手段）から例えばステープル処理の有無、ステープル処理の仕方、複写枚数、複写されるシートのサイズ等の情報を受けている。これら情報から出没トレイを延出すべきであるか否かを検知する。後処理装置側のＣＰＵにはシートセンサ70からシート後端が待機ローラ10に搬送されたことの検出信号が入力される。後処理装置側のＣＰＵは、これらの情報、信号に基づいて、出没トレイ80の延出タイミング、延出量を決定し、延出トレイ駆動ローラに出力信号を出す。また、後処理装置側のＣＰＵには待機トレイに積載されたシートの厚さを検知するシート厚さ検知手段からの信号が入力され、この信号に基づいて延出量を調節する。
【００２７】
さらに、後処理装置の制御手段は、画像処理装置の制御手段からの情報を受け、待機トレイに搬送されるシートが待機トレイに待機保持されるべきシートであるか、待機保持不要のシートであるかを検知する。例えば、ステープル処理の仕方を示す情報に基づき、１枚目、２枚目は待機トレイに待機保持されるシートで、３枚目以降は待機保持が不要のシートであることを検知する、あるいは、ステープル処理をしないとの情報から、待機トレイでの待機保持が不要であることを検知する。また、シートセンサ70からの信号を受け、シートの待機トレイ10への搬入状態を検知する。そして、後処理装置の制御手段により、左右の下面支持部材10a，10bの開放タイミング、開放量（開放幅）の制御信号を下面支持部材10a，10bの駆動モータに出力指令し、適切なタイミングで、的確にシートを処理トレイ12に落下させるものである。
【００２８】
これに対し、待機トレイに搬送されたシートが待機トレイで待機保持不要のシートである場合には、左右の下面支持部材10a，10bを開放する。その結果、シートは待機トレイを通らずに処理トレイに落下する。
【００２９】
待機トレイに搬送されたシートが、設定されたシートの大きさを超える場合は、排紙トレイが所定の位置にあるかを確認し、元の所定の位置にない場合は、排紙トレイを排紙トレイ駆動モータにより元の所定の位置に戻し、その後、上述のように出没トレイモータを駆動して、出没トレイを延出させる。
【００３０】
＜処理トレイ＞
処理トレイは、待機トレイから落下されたシートの束について縦横整合をおこなって所定の処理（例えばステープル処理）をおこなうものである。この処理トレイは、先端側が高く、後端側が低い傾斜状に配置されている。
【００３１】
図４に示すように、縦整合は、縦整合ローラ38によりなされ、縦整合上ローラ38aは縦整合上ローラモータ40により、縦整合下ローラ38bは縦整合下ローラモータ42により駆動され、用紙をストッパー45を基準に揃える。またこの整合を補助するためにパドル44が設けられ、このパドル44はパドルモータ46により駆動される。
【００３２】
図５に示すように、横整合は、横整合機構47と横整合モータ48とにより実行される。
【００３３】
処理トレイ12に所定の枚数の用紙が整合され蓄積されると、ステイプル処理がステイプラ14により行われる。
【００３４】
図６に示すように、ステイプラ14はステイプル駆動部49により位置決めされ、ステイプル処理を制御される。
【００３５】
＜排紙トレイ＞
図４に示すように、ステイプル処理された用紙束は、搬送機構50により排紙トレイ16に送られる。排紙トレイ16、18の選択は、排紙トレイ駆動部５２により排紙トレイ16、18を上下移動させてなされる。
【００３６】
待機トレイ10から直接排紙する場合は、待機トレイのシート出口に対応した位置まで排紙トレイを上昇させる。
【００３７】
（動作説明）
次に図７乃至１８を参照して本発明に係る後処理装置の動作を説明する。
【００３８】
＜ステイプル処理をする場合＞
すでに述べたように、処理トレイでのステイプル処理は、画像処理装置での処理に比べて遅く、このため、画像処理装置から搬送されたシートを処理トレイで処理する際に、その前段にバッファ部を設けて、処理トレイでのステイプル処理が完了するまで、次のシートが処理トレイに搬送されるまで待機させる必要がある。この例では、２枚のシート（１枚目と２枚目）を待機トレイに待機させ、３枚目以降は待機不要の場合について説明する。
【００３９】
画像処理装置からの１枚目のシートが入口ローラ22、給紙ローラ24を介して待機トレイ10に搬送される。シートは、第1ポジションにある左右の下面支持部材10a，10bと後端支持部材とで保持され、待機トレイローラ28が下降してシート後端が整合される（待機トレイ10の後端60（上流側）に位置合わせする。
【００４０】
次いで、待機トレイローラ28が上昇し、２枚目のシート20aを受け入れる準備をする。２枚目のシート20aが待機トレイ10に送られると、待機トレイローラ28が下降してシートの位置を待機トレイ10の後端60に整える。その後待機トレイローラ28が上昇する（図１１）。２枚目のシートが待機トレイに搬送される際にシートの後端部をシートセンサ70で検知し、この検知信号に基づいて１枚目、２枚目のシートの束をまとめて処理トレイ12に落とす。すなわち、左右の下面支持部材10a，10bを開放して、第２ポジション又は第３ポジションに位置させ、シートの両側面の支持を解除する。
【００４１】
その後、３枚目以降のシートに関しては、待機トレイをシートの支持を解除している状態のままとして、シートを給紙ローラ２４から直接待機トレイに搬送する。
【００４２】
次に、処理トレイ12に二枚目のシートが積載された状態から説明する。処理トレイ12においては、２枚の用紙束２０ｂ上に堆積されて所定枚数の用紙束２１を形成する。この際、縦横整合機構３８、４７が機能して、縦横の用紙整合が実行される。この際図１３に示されるように、待機トレイ１０の後端６０が処理トレイ１２の後端（上流側）６２より下流側に存在するように、待機トレイ１０の後端６０と処理トレイ１２の後端６２は距離Ｌだけ横方向に離隔されている。このような構成とすると、待機トレイ１０から処理トレイ１２への用紙束２０ｂの落下が容易となり、縦横整合機構３８、４７による整合動作も容易にできる。その結果ジャムの発生を防止できる。
【００４３】
なお、処理トレイ１２は、待機トレイ１０とともに斜めに傾けられて配置されるので、それぞれの後端６０，６２が最も下に位置し、用紙２０及び用紙束２１の自重によって用紙２０及び用紙束２１が後端６０、６２に整合可能にする。
【００４４】
次に図１４に示すように、用紙束２１をステイプラ１４によりステイプル処理する。そして、図１５に示すように、搬送機構５０により用紙束２０を排紙トレイ１６に送り、後処理が終了する。
【００４５】
＜後処理を必要としない場合＞
後処理を必要としない場合（ステイプル処理しない場合、ジャムが発生した場合など）には、図１６、１７に示すように処理トレイ１２を経由せず待機トレイ１０から直接排紙トレイ１６に排紙する。図１６に示すように、画像処理装置から送られてきたシートは入口トレイ２２、給紙トレイ２４、待機トレイ１０を介して、排紙トレイ１６に送られる。待機トレイローラ２８は下降して用紙２０の搬送を行う。排紙トレイ１６は図１７に示されるように、排紙トレイ駆動部５２により若干上昇させられ、待機トレイ１０から送られる用紙を受け取る。
【００４６】
＜シートが設定よりも長い場合＞
待機トレイ10に設定されたシート（例えばＡ４）よりも長いシートが搬送されると、出没トレイ駆動モータが作動して出没トレイ80がシート搬送方向の先端側に延出される。そのことにより、長いシートであっても安定して待機トレイにシートを待機保持させることができる。この場合、シートの厚さ（高さ）に対応して延出量を調節する。また、出没トレイの延出は排紙トレイ16が出没トレイの延出を妨害しない位置にあることを確認してからおこなわれる。それ以降の動作は、所定のシートが搬送された場合と同じであるので、ここでの説明は省略する。また、設定されたシートよりも長いシートの処理が終了すると、出没トレイは元の位置に収容される。
【００４７】
以上、本発明の実施例を説明したが、本発明はこの実施例に限定されない。実施例に示された各構成要素はその機能が同じであれば他の構成要素に変更可能である
【図面の簡単な説明】
【００４８】
【図１】本発明の一実施例を示す後処理装置の斜視図。
【図２】本発明の一実施例を示す後処理装置の上面図。
【図３】本発明の一実施例を示す待機トレイの動作を説明する図。
【図４】本発明の一実施例を示す後処理装置の縦整合と用紙束搬送機構を説明する図。
【図５】本発明の一実施例を示す後処理装置の横整合機構を説明する図。
【図６】本発明の一実施例を示す後処理装置のステイプラの動作を説明する図。
【図７】本発明の一実施例を示す後処理装置における入口ローラと給紙ローラ間における１枚目の用紙の流れを説明する図。
【図８】本発明の一実施例を示す後処理装置における給紙ローラと待機トレイ間における１枚目の用紙の流れを説明する図。
【図９】本発明の一実施例を示す後処理装置における給紙ローラと待機トレイ間における２枚目の用紙の流れを説明する図。
【図１０】本発明の一実施例を示す後処理装置における待機トレイローラの動作を説明する図。
【図１１】本発明の一実施例を示す後処理装置における待機トレイローラの動作を説明する図。
【図１２】本発明の一実施例を示す後処理装置におけるアクティブドロップの動作を説明する図。
【図１３】本発明の一実施例を示す後処理装置における３枚目の用紙の流れを説明する図。
【図１４】本発明の一実施例を示す後処理装置におけるステイプラの動作を説明する図。
【図１５】本発明の一実施例を示す後処理装置における処理トレイと排紙トレイ間の用紙束の流れを説明する図。
【図１６】本発明の一実施例を示す後処理装置における待機トレイから排紙トレイへの用紙の直接排紙の流れを説明する図。
【図１７】本発明の一実施例を示す後処理装置における排紙トレイの位置変更の動作を説明する図。
【図１８】本発明の後処理理装置を画像形成装置と組み合せた図。
【図１９】本発明の一実施例を示す待機トレイの制御系を示す図。
【図２０】本発明の一実施例を示す出没トレイを有する待機トレイの説明図。
【図２１】本発明の一実施例を示す待機トレイのフローチャート。
【符号の説明】
【００４９】
１０・・・待機トレイ、１０ａ，１０ｂ・・・左右の下面支持部材、１２・・・処理トレイ、１４・・・ステイプラ、１６・・・第１の排紙トレイ、１８・・・第２の廃止トレイ、２０・・・用紙、２１・・・用紙束、２２・・・入り口ローラ、２２ａ・・・上入口ローラ、２２ｂ・・・下入口ローラ、２４・・・給紙ローラ、２６・・・入口ローラモータ、２８・・・待機トレイローラ、３０・・・待機トレイローラ駆動源、３２・・・待機トレイローラモータ、３４・・・待機トレイモータ、３６・・・ペーパーパス天井、３８・・・縦整合ローラ３８、４０・・・縦整合上ローラモータ、４２・・・縦整合下ローラモータ、４４・・・パドル、４５・・・ストッパー、４６・・・パドルモータ、４７・・・横整合機構、４８・・・横整合モータ、４９・・・ステイプル駆動部、５０・・・搬送機構、５２・・・排紙トレイ駆動部、６０・・・待機トレイの後端、６２・・・処理トレイの後端、７０・・・シートセンサ、８０・・・出没トレイ
【図１】
2006096446.tif 000003
【図２】
2006096446.tif 000004
【図３】
2006096446.tif 000005
【図４】
2006096446.tif 000006
【図５】
2006096446.tif 000007
【図６】
2006096446.tif 000008
【図７】
2006096446.tif 000009
【図８】
2006096446.tif 000010
【図９】
2006096446.tif 000011
【図１０】
2006096446.tif 000012
【図１１】
2006096446.tif 000013
【図１２】
2006096446.tif 000014
【図１３】
2006096446.tif 000015
【図１４】
2006096446.tif 000016
【図１５】
2006096446.tif 000017
【図１６】
2006096446.tif 000018
【図１７】
2006096446.tif 000019
【図１８】
2006096446.tif 000020
【図１９】
2006096446.tif 000021
【図２０】
2006096446.tif 000022
【図２１】
2006096446.tif 000023